(57)【要約】【課題】下衣の装着自助具においてズボン、スカートのウェスト部分と左右の足の入れる部分である大腿部の挿入口まで十分に広げて足をより挿入しやすくすることを課題とする。【解決手段】下衣の装着自助具として、上部に棒状の握り柄部１を有した弧状型の薄い弾性のある板状部２と、その下部から下方に左右に分かれた弧状型の薄い弾性のある板状部３、４と、上記弧状型の薄い弾性のある板状部２の上縁に設けた挟着具５とから構成する。【選択図】図１
2014110839.tif 000002
【特許請求の範囲】
【請求項１】
棒状の握り柄部１と、
前記弧状型の薄い弾性のある板状部２と、
前記板状部２の下部から下方に左右に分かれるように形成される弧状型の薄い弾性のある板状部３、４と、
前記弧状型の薄い弾性の板状部２の上縁に設けた挟着具５と
からなる下衣の装着自助具。
【請求項２】
前記棒状の握り柄部１の下端に設けられる弧状型の薄い弾性のある板状部２は下衣のウェスト部の前側に入り込む大きさであり、前記左右に分かれるように形成される弧状型の薄い弾性のある板状部３、４は半円筒形でそれぞれが下衣の両大腿部の前側に入り込む大きさである請求項１に記載の下衣の装着自助具。
【発明の詳細な説明】
【技術分野】
【０００１】
この発明は、足腰の力の弱い高齢者、腰や膝の関節が充分に曲げられない人が介助者なしで、一人で楽にズボン、スカート、下着など下衣を穿くことができる下衣装着自助具に関するものである。
【背景技術】
【０００２】
足腰の力の弱い高齢者や特に股関節や膝関節が人工関節になって充分に曲がらなくなった人、腰が曲げられない人にとっては、独りで下着、ズボン、スカートを着る動作を行うには、中腰になり股関節、両膝関節を十分に曲げなければならず困難で、介助者の手を借りなければならない。また衣服の着る動作は毎日のことなので介助者に対しても心理的苦痛である。
【０００３】
従来の下衣の着用補助具には、下半身用下着の装着補助具（特開２００３−２１９９５４）、下半身下着や靴下等の装着補助具（特開２００７−２９２３９）、靴下ズボン等の着脱補助具（特開２００７−２０９７２３）、ズボンおよび下着着脱自助具（特開２００８−３０７３４５）、下半身用の下着の着用補助具（特開２００９−８２６６６）などがある。
【先行技術文献】
【特許文献】
【０００４】
【特許文献１】特開２００３−２１９９５４
【特許文献２】特開２００７−２９２３９
【特許文献３】特開２００７−２０９７２３
【特許文献４】特開２００９−８２６６６
【発明の概要】
【発明が解決しようとする課題】
【０００５】
しかし、靴下ズボン等の着脱補助具（特開２００７−２０９７２３）、下半身下着や靴下等の装着補助具（特開２００７−２９２３９）はバンド或いはアーム先のクリップでズボンや下着、靴下の履き口を留めてバンド或いは握り柄で下衣を引き上げる方法なので履き口が広がらず、特にウェスト部のゴムがある下衣に足を入れることは困難であるという課題があった。
【０００６】
下半身用下着の装着補助具（特開２００３−２１９９５４）、下半身用の下着の着用補助具（特開２００９−８２６６６）はウェスト部分の履き口を広げ下衣に足を容易に入れるようにすることで上記の課題を解決したが、上記の補助具の同じように下衣をぶら下げる方法なので以下の課題がある。
１．股下の長い下衣で特にウェストがゴムのパジャマのズボン、丈の長いスカートはウェスト部分を広げるが、足を入れる太腿部分まで広がらないので見えず、足腰の筋力の弱い高齢者や関節が十分に曲がらない障害者にとって下衣の足部分に足を通すことは困難である。
２．着用補助具に下衣を装着して斜めにすると、股下の長い下衣は垂れて折れ曲がり、ウェスト部は広がっても足を通す部分が見えず、足を通すとズボンに引っかかる。見えるようにするには真下に着脱補助具を位置して下衣を真下にぶら下げる必要がある。
３．真下に着脱補助具を位置して下衣を真下にぶら下げると、座った姿勢で足を大きく垂直に持ち上げて下衣に足を通すのと同時に履き口を見るために腰を曲げる必要があり履きにくい。
【０００７】
以上のような問題に鑑みて、本発明は、下衣の装着自助具においてズボン、スカートのウェスト部から大腿部の挿入口まで十分に広げてより足を挿入しやすくすることを課題とする。
【課題を解決するための手段】
【０００８】
上記課題を解決するために本発明は、下衣の装着自助具として、上部に棒状の握り柄部１を有した弧状型の薄い弾性のある板状部２と、その下部から下方に左右に分かれた弧状の薄い弾性のある板状部３、４と、上記弧状型の薄い弾性のある板状部２の上縁に設けた挟着具５からなることを特徴とする。
さらに、弧状型の薄い弾性のある板状部２は下衣のウェスト部の前側に入り込み、弧状型の薄い弾性のある板状部３、４はそれぞれが半円筒型で下衣の両大腿部の前側に入り込む大きさであることを特徴とする。
【発明の効果】
【０００９】
本発明によれば、ズボン、丈の長いスカートのウェスト部分と左右の足の入れる部分である大腿部の挿入口まで十分に広げて足をより挿入しやすくなる。
【図面の簡単な説明】
【００１０】
【図１】下衣の装着自助具の斜視図である。
【図２】下衣の装着自助具の正面図である。
【図３】下衣の装着自助具の底面図である。
【図４】下衣の装着自助具にズボンを装着した状態を示す斜視図である。
【図５】ズボンを装着した下衣の装着自助具を斜め上から見た図である。
【図６】下衣の装着自助具にズボンを装着してズボンを穿くために引き上げている状態を示す図である。
【発明を実施するための形態】
【００１１】
以下、本発明の実施形態について図面を参照しつつ説明する。
【００１２】
図１に本実施形態に係る下衣の装着自助具の斜視図を示し、図２に本実施形態に係る下衣の装着自助具の正面図を示し、図３に本実施形態に係る下衣の装着自助具の底面図を示す。
弧状型の薄い弾性のある板状部２は、軽いポリプロプレンまたはポリ塩化ビニール等がよい、弧状の形はズボンのウェスト部の穿き口方向の前の楕円形の半分に合致するものであり、長さはウェストから足の付け根までで横部にいくほど丸みを持っており容易に手や衣服のゴムで中心に丸まるようになっている。その上部中央に、伸縮機能７が設けられた、上部にはグリップ６がついた棒状の握り柄部１を有している。素材はアルミ製やプラスチックが適材と思われる。握り柄部１下端部と弧状型の薄い弾性の板状部２の上部はカシメ８で緊結している。
【００１３】
弧状型の薄い弾性のある板状部２上縁外側には狭持具５を４個設けている。狭持具は下衣のウェスト部の開口部を挟み保持するので指で軽い力で押して容易に開くクリップなどが良い。
【００１４】
弧状型の薄い弾性の板状部２の下部から下方に左右に分かれた弧状型の薄い弾性のある板状部３、４は容易に手や衣服のゴムで丸まり広がりやすくしかも下衣服を装着させた時下衣を内側から広げ下衣の重さで折れ曲がらない弾性の軽いポリプロプレンまたはポリ塩化ビニール等が良い。薄い弾性のある板状部３、４の大きさは半円筒型で大腿部の前側半分を覆うような形になっていて下に行くほど細くなり下縁は丸みを持っている。上記の板状部3、４の長さは足の付け根から膝の上までとなっている。
【００１５】
以下、本発明の実際の使い方を図を参照しながら説明する。
（イ）  椅子に座って、左右に分かれた半円筒形の薄い弾性のある板状部3、４の下の先端からズボンを被せていき、右の弧状型の薄い弾性のある板状部３には右のズボンの前側の太腿部まで差し込みズボンの右足部を通す。左の弧状型の薄い弾性のある板状部４には左のズボンの前側大腿部まで差し込みズボンの左足部を通す。そして、胴部であるウェスト部のゴム部分を弧状型の薄い弾性のある板状部２の上縁部まで来るまで被せる。なお、ズボンのウェスト部が小さい時は、下衣の装着自助具の弧状型の薄い弾性のある板状部２の両側を手で丸めてウェスト部の開口部に入れる。
（ロ）  次にウェスト部であるズボンの開口部の前半分を弧状型の薄い弾性のある板状部２の上縁に設けているすべてのクリップ５で止めてズボンがクリップ５から外れないように装着する。
上記のようにすると、図４に示すように、下衣の装着自助具の弧状型の薄い弾性のある板状部２はズボンのウェスト部を内側から押し広げたようになり、また弧状型の薄い弾性のある板状２の下部から下方に左右に分かれた弧状型の薄い弾性のある板状部３、４はそれぞれズボンの左右足の前側太腿部を内側から押し広げたようになる。また、上から見ると図５に示すような状態となり、ウェスト部の開口部から左右の足の挿入口がはっきりと見える。
（ハ）  握り柄部１の先端のグリップ６を片手で持ち、自分の足を入れやすいようにウェスト部の開口部１１を位置づける。もし股関節、膝、腰がほとんど曲がらない場合は、握り柄部１の伸縮部７を回して棒の長さを伸ばして位置を調整する。
（ニ）  図６に示すように、自分の両足をウェスト部の開口部１１から通し左右の足の挿入口１２、１３に通してゆっくりとグリップ６持ち下衣の装着自助具を装着したズボンを大腿部上まで引き上げる。
（ホ）  自分の手が届く範囲までズボンが引き上げられたら、クリップ６からズボン９（下衣）を外して下衣の着脱装具を上に引き抜き、ズボンを下衣の着脱装具から外す。後は、自分の手でズボンをウェストまで引き上げることでズボンの装着は完了する。
【００１６】
なお、丈の長いスカートも上記と同様に左右に分かれた弧状型の薄い弾性のある板状部３、４の下の先端から被せて行き、ウェスト部を弧状型の薄い弾性のある板状２の上縁部まで来るまで被せる。
股下丈の短い下着等は左右に分かれた弧状型の薄い弾性のある板状部３、４を左右の足挿入口に通して下着から出してウェスト部を弧状型の薄い弾性の板状２の上縁部まで来るまで被せる。
座った姿勢で腰が曲げられず足元が見られないときは図４のように握り柄部１を持ってズボンを装着した着脱補助具を斜めにしてもズボンの左右の足を入れる部分を広げて挿入口を見られるので足を挿入しやすい。座着脱補助具を斜めにすると足を少し上げるだけでズボンを穿くことが可能である。また座ることが困難で仰向けに寝て使用するときは、横に位置して下衣を装着しても股下の長いズボンの左右の足の挿入口部分を広げて挿入しやすくすることができる。
【符号の説明】
【００１７】
１  棒状の握り柄
２  弧状型の薄い弾性のある板状部
３  右の弧状型の薄い弾性のある板状部
４  左の弧状型の薄い弾性のある板状部
５  挟持具
６  グリップ
７  伸縮部
８  カシメ
９  下衣
１０ウェスト部
１１ウェスト部開口
１２右足挿入口
１３左足挿入口
【図１】
2014110839.tif 000003
【図２】
2014110839.tif 000004
【図３】
2014110839.tif 000005
【図４】
2014110839.tif 000006
【図５】
2014110839.tif 000007
【図６】
2014110839.tif 000008